(57)【要約】【課題】  括約筋の運動状況、筋力強化の状態を知ることができ、運動をガイドすることができるケーゲルエクササイザーを提供することを課題とする。【解決手段】適宜な弾性を具えたカバーと、カバーの外側の一部を被覆して設ける少なくとも一以上の補助カバーと、カバーに連接して設けられる固定座と、カバー内に設けられ、カバーが収縮すると、接続する導電手段と、導電手段の一端と電気的に接続し、導電手段を駆動して制御する振動ユニットと、電力を供給する電源ユニットと、カバーの外側に少なくとも一以上の弾性を具えた補助カバーが設けられているため、異なる弾性係数の補助カバーに交換してカバーの硬度（参数）を変更でき、運動者が括約筋を緊縮運動する場合に括約筋の収縮する基準を設定でき、次第に運動効果を高めるともに、括約筋の筋力と忍耐力の上昇を正確に知ることができる構造からなる。【選択図】  図２
0003162140.tif 000002
【実用新案登録請求の範囲】
【請求項１】
弾性を具えたカバーと、
該カバーの外側の一部を被覆して設ける少なくとも一以上の補助カバーと、
カバーに連接して設けられる固定座と、
該カバー内に設けられ、カバーが収縮時、接続貫通した状態になる導電手段と、
導電手段の一端と電気的に接続し、導電手段を駆動して制御する振動ユニットと、必要な電力を供給する電源ユニットと、
カバーの外側に少なくとも一以上の弾性を具えた補助カバーが設けられ、異なる弾性係数の補助カバーに交換してカバーの硬度（参数）を変更することができ、運動者が括約筋を緊縮運動すると括約筋の収縮する基準を設定し、運動効果を高め、括約筋の筋力と忍耐力の上昇を正確に知ることができることを特徴とするケーゲルエクササイザー。
【請求項２】
前記カバーが、複数の突起を具えてなり、補助カバーには該突起に対応して孔が形成され、突起を穿設して孔に嵌設させて補助カバーをカバーに固定して設けることができることを特徴とする請求項１に記載のケーゲルエクササイザー。
【請求項３】
前記補助カバーは、前記カバーと着脱することができることを特徴とする請求項１に記載のケーゲルエクササイザー。
【請求項４】
前記導電手段が、金属体と少なくとも一以上の導電片とを含んでなり、該金属体が固定座に設けられた柱体の一端に設けられ、導電片の底部が固定座に接続し、導電片の端縁部が湾曲して角度を有し、金属体に近い形状に形成されることを特徴とする請求項１に記載のケーゲルエクササイザー。
【請求項５】
前記電気回路板が、音声電気回路と、スピーカーとを含んでなり、音声電気回路により音声を発して予め設定されたガイド音声を発生させる構造からなることを特徴とする請求項１に記載のケーゲルエクササイザー。
【請求項６】
前記電気回路板が音声電気回路を開閉するスイッチを含んでなることを特徴とする請求項５に記載のケーゲルエクササイザー。
【請求項７】
前記固定座が、蓋体を設けてなり、該蓋体には押し圧部材の貫通孔を具えてなり、押し圧部材を押し圧すると、押し圧部材の一端がスイッチを押し圧することを特徴とする請求項６に記載のケーゲルエクササイザー。
【請求項８】
前記蓋体が、貫通孔に設けられた押し圧部材のもう一方の突出した面を隠すとともに、防水機能を具えたフィルムを設けてなることを特徴とする請求項７に記載のケーゲルエクササイザー。
【考案の詳細な説明】
【技術分野】
【０００１】
この考案は、ケーゲルエクササイザーであって、特に括約筋の運動を実施することができるケーゲルエクササイザーに関する。
【背景技術】
【０００２】
従来の訓練装置は、回転調節装置を利用して弾性片と金属ブロックとの距離を変化させる。
【０００３】
弾性片と金属ブロックが接触通電すると、振動装置が作動し、異なる圧縮力が発生する。
【０００４】
該圧縮力を調整することで、使用者は筋力の収縮力を一定の基準に設定することができる。
【０００５】
よって、使用者が括約筋の収縮運動を自分で実施するために便利である。理論的には括約筋の収縮距離を一定に保つことができるが、括約筋の筋力や忍耐力は鍛えることで強化することができる。
【０００６】
よって、理想的な状態は弾性の桿体の硬度（参数）を調整することができることである。弾性の桿体の外部に硬度を高める補助カバー（重量上げの訓練のように、次第に錘を下げて筋力、筋肉の忍耐力の訓練を高め）を増設し、弾性片や金属ブロックの距離を使用するものではない。
【０００７】
使用者は括約筋の収縮を無限に強化することは不可能である。よって、実際に応用する場合には、使用者は括約肉の緊縮運動の進歩やどのくらい筋力が強化されたのかを正確に知ることができない。
【考案の開示】
【考案が解決しようとする課題】
【０００８】
この考案は、括約筋の運動状況、筋力強化の状態を知ることができるとともに、運動をガイドすることができるケーゲルエクササイザーを提供することを課題とする。
【課題を解決するための手段】
【０００９】
そこで、本考案者は従来の技術に見られる欠点に鑑みて鋭意研究を重ねた結果、弾性を具えたカバーと、
該カバーの外側の一部を被覆して設ける少なくとも一以上の補助カバーと、
カバーに連接して設けられる固定座と、
該カバー内に設けられ、カバーが収縮時、接続貫通した状態になる導電手段と、
導電手段の一端と電気的に接続し、導電手段を駆動して制御する振動ユニットと、必要な電力を供給する電源ユニットと、
カバーの外側に少なくとも一以上の弾性を具えた補助カバーが設けられ、異なる弾性係数の補助カバーに交換してカバーの硬度（参数）を変更することができ、運動者が括約筋を緊縮運動すると括約筋の収縮する基準を設定し、運動効果を高め、括約筋の筋力と忍耐力の上昇を正確に知ることができるケーゲルエクササイザーによって課題を解決できる点に着眼し、かかる知見に基づいて本考案を完成させた。
【００１０】
以下、この考案について具体的に説明する。
請求項１に記載する 弾性を具えたカバーと、
該カバーの外側の一部を被覆して設ける少なくとも一以上の補助カバーと、
カバーに連接して設けられる固定座と、
該カバー内に設けられ、カバーが収縮時、接続貫通した状態になる導電手段と、
導電手段の一端と電気的に接続し、導電手段を駆動して制御する振動ユニットと、必要な電力を供給する電源ユニットと、
カバーの外側に少なくとも一以上の弾性を具えた補助カバーが設けられ、異なる弾性係数の補助カバーに交換してカバーの硬度（参数）を変更することができ、運動者が括約筋を緊縮運動すると括約筋の収縮する基準を設定し、運動効果を高め、括約筋の筋力と忍耐力の上昇を正確に知ることができる構造からなる。
【００１１】
請求項２に記載するケーゲルエクササイザーは、請求項１におけるカバーが、複数の突起を具えてなり、補助カバーには該突起に対応して孔が形成され、突起を穿設して孔に嵌設させて補助カバーをカバーに固定して設けることができる。
【００１２】
請求項３に記載するケーゲルエクササイザーは、請求項１における補助カバーが、前記カバーと着脱することができる。
【００１３】
請求項４に記載するケーゲルエクササイザーは、請求項１における導電手段が、金属体と少なくとも一以上の導電片とを含んでなり、該金属体が固定座に設けられた柱体の一端に設けられ、導電片の底部が固定座に接続し、導電片の端縁部が湾曲して角度を有し、金属体に近い形状に形成される。
【００１４】
請求項５に記載するケーゲルエクササイザーは、請求項１における電気回路板が、音声電気回路と、スピーカーとを含んでなり、音声電気回路により音声を発して予め設定されたガイド音声を発生させる構造からなる。
【００１５】
請求項６に記載するケーゲルエクササイザーは、請求項５における電気回路板が音声電気回路を開閉するスイッチを含んでなる。
【００１６】
請求項７に記載するケーゲルエクササイザーは、請求項６における固定座が、蓋体を設けてなり、該蓋体には押し圧部材の貫通孔を具えてなり、押し圧部材を押し圧すると、押し圧部材の一端がスイッチを押し圧する。
【００１７】
請求項８に記載するケーゲルエクササイザーは、請求項７における蓋体が、貫通孔に設けられた押し圧部材のもう一方の突出した面を隠すとともに、防水機能を具えたフィルムを設けてなる。
【考案の効果】
【００１８】
この考案のケーゲルエクササイザーは、筋力の能力に合わせて運動を強化できて実用的であるとともに、運動状況や筋力の強化状況を正確に知ることができて運動への興味を高めることができるという効果を有する。
【考案を実施するための形態】
【００１９】
この考案は、括約筋の運動状況、筋力強化の状態を知ることができるとともに、運動をガイドすることができるケーゲルエクササイザーであって、弾性を具えたカバーと、
該カバーの外側の一部を被覆して設ける少なくとも一以上の補助カバーと、
カバーに連接して設けられる固定座と、
該カバー内に設けられ、カバーが収縮時、接続貫通した状態になる導電手段と、
導電手段の一端と電気的に接続し、導電手段を駆動して制御する振動ユニットと、必要な電力を供給する電源ユニットと、
カバーの外側に少なくとも一以上の弾性を具えた補助カバーが設けられ、異なる弾性係数の補助カバーに交換してカバーの硬度（参数）を変更することができ、運動者が括約筋を緊縮運動すると括約筋の収縮する基準を設定し、運動効果を高め、括約筋の筋力と忍耐力の上昇を正確に知ることができるケーゲルエクササイザーの構造と特徴を詳述するために具体的な実施例を挙げ、図示を参照にして以下に説明する。
【実施例】
【００２０】
図１から図８は、この考案の斜視図、分解図、断面図、使用状態を示したもの、操作の流れを示したブロック図である。
【００２１】
図面によれば、この考案のケーゲルエクササイザーは、カバー１０と、少なくとも一以上の補助カバー２０と、固定座３０と、導電手段４０と、振動ユニット５０と、電気回路板６０と、電源ユニット７０と、隔絶板８０と、蓋体９０とを含んでなる。
【００２２】
該カバー１０は、外観が人体工学に基づいて形成され、弾性の材料からなるため、適宜な弾性を具えてなる。
【００２３】
該カバー１０は、一端が垂直に外側に向けて延伸した外縁部１１を具えてなる。該外縁部１１は、表面に複数の比較的大きな突起１１１を具えてなり、底面に端縁部１２を具えてなる。
【００２４】
該補助カバー２０は、弾性の材料からなるため、適宜な弾性を具えてなる。該補助カバー１０は、カバー１０の外側の一部を被覆するように設けられる。
【００２５】
該補助カバー２０は、表面に凸縁２１を設けてなり、該凸縁２１には該突起１１１に対応して設けられた孔２１１が形成され、該突起１１１を穿設して該孔２１１に嵌設させることができ、補助カバー２０をカバー１０に固定するために便利で簡単に取り外し、交換することもできる。
【００２６】
該固定座３０は、端縁が端縁部１２の内側に係止して設けられ、固定座３０とカバー１０が接続される。
【００２７】
該固定座３０は表面から上方に突出して設けられた柱体３１がカバー１０内に位置するように設けられる。
【００２８】
また、固定座３０は、底部の外周面に設けられたネジ溝３２と、該ネジ溝３２に囲まれて形成された設置空間３３とを含んでなる。
【００２９】
該設置空間３３は、複数のフレーム体３４と、複数の支柱３５と、複数の溝体３６とが設けられる。
【００３０】
該導電手段４０は、柱体３１の一端に設けられた金属体４１と、複数の導電片４２とを含んでなる。
【００３１】
該導電片４２は、底部が固定座３０に接続し、カバー１０内部に位置するように設けられる。
【００３２】
該導電片４２は、端縁部が湾曲して角度を有し、比較的金属体４１の形状に近い形に形成される。
【００３３】
カバー１０は括約筋が圧縮されると適宜に収縮し、導電片４２の端縁部が金属体４１に接触して導電経路を形成する。
【００３４】
該振動ユニット５０は、偏心型の振動モーターであって、フレーム体３４に嵌合し、固定して設けられる。
【００３５】
該振動ユニット５０と導電片４２とが接続し、導電手段４０が作動すると、振動が発生する。
【００３６】
電気回路板６０は、設置空間３３の内部に設けられ、支柱３５に嵌合して設けられ、固定される。
【００３７】
該電気回路板６０は、音声電気回路６１を含んでなり、該音声電気回路６１により電気回路板６０に設けられたスピーカー６２からブザーのような予め設定された音声が発せられる。
【００３８】
該音声は言語、音楽、ブザー、或いは各種の音を好みで混合して組み合わせてもよく、運動する使用者の括約筋の緊縮運動を自動的にガイドすることができる。
【００３９】
該電気回路板６０は、また、スイッチ６３を設けてなる。該スイッチ６３は複数の段階を具えた押し圧式のスイッチであって、複数の段階で押し圧して音声電気回路６１の作動を制御するために便利で、音声で自動的に運動をガイドすることができる。
【００４０】
また、電気回路板６０に設けられた様々な機能を切り替えるためにも便利である。
【００４１】
電源ユニット７０は電池であって、該電源ユニット７０が溝体３６に設けられて必要な電源の電力を供給するために供する。
【００４２】
隔絶板８０は、固定部材８１を穿設することで設置空間３３に設けられる。よって、設置空間３３の開口が閉じられるとともに、設置空間３３内に設けられたそれぞれの部材が抜け落ちることを防止する。
【００４３】
蓋体９０は、ネジ溝３２に回転して設けられて固定座３０と接続され、設置空間３３を被覆、保護するとともに、外観を美化する効果を具えてなる。
【００４４】
蓋体９０は貫通孔９１を設けてなり、弾性の押し圧部材９２を嵌設する。
【００４５】
該押し圧部材９２は一端に隔絶板８０を穿設し、使用者は手で押し圧部材９２を押し圧すると、押し圧部材９２の一端がスイッチ６３を押し圧し、スイッチ６３が複数段階で切り替えて作動させることができる。
【００４６】
蓋体９０は、貫通孔９１に設けられた押し圧部材９２のもう一方の突出した面を隠すとともに、防水効果を具えたフィルム９３を設けてなる。
【００４７】
通常の状態において、導電片４２の端縁部が金属体４１に接触することがない。
【００４８】
よって、振動ユニット５０が運動を指示する振動を発生することがない。
【００４９】
カバー１０と補助カバー２０を膣の内部に設けて、使用者は括約筋の収縮力でカバー１０と補助カバー２０を圧縮し、カバー１０が導電片４２を圧縮する。
【００５０】
収縮力が臨界値に達すると、導電片４２の端縁部が金属体４１に接触し、振動ユニット５０が振動し、運動の指示を表示する。
【００５１】
この考案は使用する場合に設ける補助カバー２０が異なる弾性材質の補助カバー２０ａ、２０ｂにそれぞれ交換することができる。
【００５２】
補助カバー２０ａは硬度が補助カバー２０よりも高く、比較的大きく、特定な値の括約筋の収縮力でカバー１０を圧縮しなければ振動を発生させない。
【００５３】
補助カバー２０ｂは、硬度が補助カバー２０ａよりも高いため、さらに大きく、且つ特定な値の括約筋の収縮力で運動しなければならない。
【００５４】
よって、使用者は異なる弾性係数の補助カバー２０ａ、２０ｂに交換してカバー１０の硬度（参数）を変更することができ、使用者は括約筋の収縮力の基準を設定するために便利で、次第に運動効果を高め、括約筋の筋力、筋肉の忍耐力の上昇の程度を正確に知ることができる。
【００５５】
電気回路板６０は実際に使用する場合、操作モデルを予め音声自動ガイド運動、自己運動、電源スイッチなどのモデルを設定することができる。
【００５６】
スイッチ６３が押し圧されて音声自動ガイド運動モデルに切り替わると、音声電気回路６０が駆動してスピーカー６２が音声を発する。
【００５７】
よって、自動ガイド運動で使用者が括約筋を緊縮運動することができる。
【００５８】
この考案は、補助カバーが設けられ、音声自動ガイド運動を補助するため、使用者の運動に対する興味を高めることができるとともに、運動効果も高めることができる。
【００５９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００６０】
【図１】この考案のケーゲルエクササイザーを示した斜視図である。
【図２】この考案のケーゲルエクササイザーを示した分解図である。
【図３】この考案のケーゲルエクササイザーを示した他の分解図である。
【図４】この考案のケーゲルエクササイザーを示した断面図である。
【図５】この考案のケーゲルエクササイザーの実施形態を示した断面図である。
【図６】この考案のケーゲルエクササイザーの他の実施形態を示した断面図である。
【図７】この考案のケーゲルエクササイザーのその他の実施形態を示した断面図である。
【図８】この考案のケーゲルエクササイザーの操作状態を示したブロックである。
【符号の説明】
【００６１】
１０            カバー
１１            外縁部
１１１          突起
１２            端縁部
２０、２０ａ、２０ｂ     補助カバー
２１            凸縁
２１１          孔
３０            固定座
３１            柱体
３２            ネジ溝
３３            設置空間
３４            フレーム体
３５            支柱
３６            溝体
４０            導電手段
４１            金属体
４２            導電片
５０            振動ユニット
６０            電気回路板
６１            音声電気回路
６２            スピーカー
６３            スイッチ
７０            電源ユニット
８０            隔絶板
８１            固定部材
９０            蓋体
９１            貫通孔
９２            押し圧部材
９３            フィルム
【図１】
0003162140.tif 000003
【図２】
0003162140.tif 000004
【図３】
0003162140.tif 000005
【図４】
0003162140.tif 000006
【図５】
0003162140.tif 000007
【図６】
0003162140.tif 000008
【図７】
0003162140.tif 000009
【図８】
0003162140.tif 000010